(57)【要約】 【課題】遊技機の球受け皿から球箱に遊技球を移し替える必要がない遊技機用椅子を提供する。【解決手段】座席１の下方に球貯留タンク４を配設したうえに、この球貯留タンク４に、球導入通路５３が内部に設けられた肘掛部５と、レバー４３によって球排出口４２を開閉する開閉扉４４とを設ける。肘掛部５は、前傾状態と起立状態とに切り替え可能なものとすることができる。さらに、球受け皿の排出口と肘掛部５の球導入通路５３とを、蛇腹ホースなどの可撓性を有する球送出ホースによって接続することができる。また、球貯留タンク４には、満タン検出センサーを設けて、球が満タンになったときに自動的に球箱に排出するようにすることもできる【選択図】図１
2007190274.tif 000002
【特許請求の範囲】
【請求項１】
座席の下方に球貯留タンクを設けたうえに、この球貯留タンクに、球を導入する球移送手段と球を排出するための球排出手段とを設けたことを特徴とする遊技機用椅子。
【請求項２】
座席の少なくとも一側に肘掛部を設け、この肘掛部の内部に球導入通路を設けて、球移送手段となした請求項１に記載の遊技機用椅子。
【請求項３】
球タンクの一側に球排出口を設け、この球排出口に開閉扉と、該開閉扉を操作する開閉扉操作手段とを配設して、球排出手段となした請求項１又は２に記載の遊技機用椅子。
【請求項４】
球導入通路を、遊技機の球受け皿に接続された球送出ホースと連結した請求項２に記載の遊技機用椅子。
【請求項５】
球送出ホースを可撓性を有するものとし、この球送出ホースの先端を、球受け皿の球抜き口に装着された取付け具と接続した請求項４に記載の遊技機用椅子。
【請求項６】
球貯留タンクに、排出される球を計数するための球計数手段を設けた請求項１〜５の何れかに記載の遊技機用椅子。
【請求項７】
球貯留タンクに、球の貯留量を計数する貯留量計数手段と、その計数結果を表示する貯留量表示手段とを配設した請求項６に記載の遊技機用椅子。
【発明の詳細な説明】
【技術分野】
【０００１】
本発明は、パチンコ機の前方に配置され遊技者が着座して遊技を行うための遊技機用椅子に関するものである。
【背景技術】
【０００２】
パチンコを行う通常の遊技機においては、賞球の払出しがなされると賞球は遊技盤の下方に設けた球受け皿に集められ、その球受け皿の球抜き口を開放することによって、球を球箱へ移し換えることができる。
しかし、このような球の移し替え作業は、球受け皿から球箱への球抜き操作を必要とするうえに、遊技機の膳板上から遊技者の座席の下方にまで球箱を持ち運ぶという動作を必要とする。この持ち運びはホール従業員のサービスの一環として行われているものであるが、球が満杯となった球箱は重量が１０ｋｇ近くにもなるので、その持ち運びはたいへんな重労働である。
なお、従来の遊技機用椅子として、特許文献１、２に開示されたものがある。
【特許文献１】特開２００２−３５４０４号公報  (図２)
【特許文献２】特開平１０−９４４５２号公報  (図１)
【発明の開示】
【発明が解決しようとする課題】
【０００３】
本発明は、上記した従来の問題点に鑑み、遊技機の球受け皿から球箱に遊技球を移し替える必要がない遊技機用椅子を提供することを課題とする。
【課題を解決するための手段】
【０００４】
上記の課題を解決するためになされた本発明の遊技機用椅子は、座席の下方に球貯留タンクを設けたうえに、この球貯留タンクに、球を導入する球移送手段と球を排出するための球排出手段とを設けたことを特徴とするものである。
【０００５】
上記した発明において、座席の少なくとも一側に肘掛部を設け、この肘掛部の内部に球導入通路を設けて、球移送手段となすことができ、
球タンクの一側に球排出口を設け、この球排出口に開閉扉と、該開閉扉を操作する開閉扉操作手段とを配設して、球排出手段となすことができる。
また、前記球導入通路を、遊技機の球受け皿に接続された球送出ホースと連結することができ、
球送出ホースを可撓性を有するものとし、この球送出ホースの先端を、球受け皿の球抜き口に装着された取付け具と接続することができる。
【０００６】
さらに、球貯留タンクに、排出される球を計数するための球計数手段を設けることができ、
球貯留タンクに、球の貯留量を計数する貯留量計数手段と、その計数結果を表示する貯留量表示手段とを配設することもできる。
【発明の効果】
【０００７】
請求項１に係る発明は、球移送手段により球を球貯留タンクに導入することができ、貯留された球を球貯留タンクに設けた球排出手段により球箱に移し替えることができる。
請求項２に係る発明は、肘掛部の内部に設けた球導入通路から球を球貯留タンクに導入することができる。
請求項３に係る発明は、開閉扉操作手段を操作して開閉扉を開放することによって球貯留タンク内の球を球箱に移し替えることができる。
請求項４に係る発明は、球送出ホースと球導入通路とを通過させて球を球受け皿から直接球貯留タンクに移送することができる。
請求項５に係る発明は、球受け皿の球抜き口に合致する取付け具を装着することによって、遊技機メーカーの機種に対応して球送出ホースを球受け皿に連結することができる。
請求項６に係る発明は、球計数手段によって、予め設定された球数を計数して払い出すことができる。
請求項７に係る発明は、球貯留量計数手段が受入れ数と払出し数とを計算して、貯流量表示手段がその計算結果を表示することができる。
【発明を実施するための最良の形態】
【０００８】
以下に、本発明の実施形態について図面に基づき説明する。
図１、２は、本発明に係る遊技機用椅子を示す図であって、１は座席、２は背もたれ部、３は脚柱である。
座席１の下方には球貯留タンク４が設けられ、座席１の一側には球移送手段としての肘掛部５が設けられている。肘掛部５は座席１の左右に設けてもよい。
【０００９】
肘掛部５は支軸５１を中心に回動することができ、図１に示す肘掛部５は前方に傾動された状態である。肘掛部５の先端には開放部５２が設けられており、この開放部５２につながって肘掛部５内に球導入通路５３が設けられている。肘掛部５の基端側の側面には球送出口５４が設けられており、球貯留タンク４の一側には球導入口４１が設けられており、球送出口５４と球導入口４１とが連通することによって、球導入通路５３から球貯留タンク４に球を送り込むことができる。なお、球貯留タンク４は大当たりが数回発生しても全ての賞球を収容可能な容量とするのが望ましい。
【００１０】
肘掛部５の先端の側面には、その側面から出し入れ可能な球受け部材５５が設けられており、この球受け部材５５は下端を中心に回動する。球受け部材５５は、球導入通路５２に球を投入する際に、図２に示すように引き出されて球受け用のホッパーの役目を果たす。
【００１１】
球貯留タンク４の一側には球排出口４２が設けられ、この球排出口４２に球排出手段として、レバー４３操作式の開閉扉４４が配設されている。レバー４３を操作することによって、図３に示すように球排出口４２を開放して球を球箱に移し替えることができる。なお、開閉扉４４は電動式で開閉するようにすることができる。
【００１２】
肘掛部５が前方に傾動された状態では、図４に示すように、遊技者が着座して遊技の途中で球受け皿内の球を少しずつ開放部５２から球導入通路５３に球を投入して、球貯留タンク４に球を移送することができる。
【００１３】
一方、大当たりが発生していない遊技の途中においては、図５に示すように、遊技者は肘掛部５を起立させることができる。この状態では、肘掛部５の球送出口５４と球貯留タンク４の球導入口４１とは連通されておらず、球送出口５４は球貯留タンク４の一側面により封鎖されている。
肘掛部５を起立させた状態では、遊技者は、図６に示すように肘掛部５に肘を掛けてリラックスして遊技を楽しむことができる。
【００１４】
図７、８には、別の実施形態の遊技機用椅子を示す。図示のものも座席１の下方に球貯留タンク４を備え、座席１の一側には肘掛部５を備える点において既記したものと共通する。しかし、この実施形態における肘掛部５は、回動不能に固定されたものである。肘掛部５の内部には、球導入通路５３が設けられ、球導入通路５３は上部に球取込み口５６を有し、下部に球送出口５４を有する。
【００１５】
球取込み口５６の先には、可撓性を有する球送出ホース６が接続され、この球送出ホース６は、遊技機７の球受け皿７１につながっている。球送出ホース６として、図９、１０に示すような断面円形、角形の蛇腹ホース６１の先端に接続具６２を有するものを用いることができる。接続具６２は、球受け皿７１の球抜き口に装着された取付け具６３と接続される。接続は、取付け具６３を球受け皿７１の球抜き口部に当該球抜き口を開放状態のままで上側から挿設し下側から接続具６２をあてがうことで組み付け、ビスにて接続具６２と取付け具６３を固定することによって行うことができる。取付け具６３は交換可能なアタッチメントとすることによって、異なる遊技機メーカーの球受け皿７１の球抜き口形状に対応させることができる。また、本実施形態の接続具６２、取付け具６３はあくまで一例にすぎず、取付け具６３と接続具６２を一体の構造にし球抜き口の裏側に接着する方法、もしくは樹脂や金属、バネなどの弾性力、永久磁石や電磁石などの磁力を利用した取付け具構造を用いることにより、球抜き口の内部に挿設することなく球抜き口の裏面に取り付けることも可能である。このような球抜き口の裏面に取り付ける方法によれば、遊技機に設けられた球抜き口の開閉操作によって球の貯留タンクへの排出操作を任意に行うことができる。
なお、図１１には、球受け皿７１の球抜き口７２の例を示す。
【００１６】
球貯留タンク４には、図１２に示すように、予め設定された球数を計数して払い出す排出量調整手段８を設けることができる。排出量調整手段８は球の通過を検出するセンサーを備えた排出量計数手段８１と、排出扉４４である球排出手段８２とからなるものである。排出量計数手段８１を備えたことにより、設定した球数を計数しながら球箱への移し替えを行うことができる。即ち、１６００，１７００，１８００というように１００個単位で球箱の大きさに対応して排出することができるので、球の詰め込みすぎが解消されて、球箱の積み重ねが容易となる。
【００１７】
また、球貯留タンク４には、球の受入数と払出し数とをカウントして貯留量を計数する貯留量計数手段９と、その結果を表示する貯留量表示手段９１とを設けることができる。これによって、ホール従業員は、球貯留タンク４内の球数を容易に把握することができる。
【００１８】
図１３には、球の貯留量、排出量の表示等を行うことができる操作パネル９２の実施例を示す。当該操作パネル９２は、球排出ボタン８３と、排出量入力部８４と、表示状態切替ボタン８５と、モード表示用ＬＥＤ９３と、表示部９４とを備えている。
モード表示用ＬＥＤ９３は、第１ＬＥＤ９３ａ、第２ＬＥＤ９３ｂ、第３ＬＥＤ９３ｃ、第４ＬＥＤ９３ｄよりなる。
【００１９】
第１ＬＥＤ９３ａが点灯時は、球貯留タンク４に球を貯留するモードであって、表示部９４に表示される数値は球貯留タンク４内の貯留数である。
第２ＬＥＤ９３ｂが点灯時は、球貯留タンク４より球を任意量排出するモードであって、表示部９４に表示される数値は球貯留タンク４から排出された球数である。
第３ＬＥＤ９３ｃが点灯時は、球貯留タンク４より１００，５００，１０００，２０００など球を定量排出するモードであって、表示部９４に表示される数値は実排出球数である。
第４ＬＥＤ９３ｄが点灯時はエラーが発生した状態であって、球詰まりなどのトラブルが発生した時に点灯する。
【００２０】
以上のモード表示の切替は、表示状態切替ボタン８５を押圧することによって行うことができる。
球排出ボタン８３は、第２ＬＥＤ９３ｂが点灯された任意量排出モードにあるときは、当該ボタン８３を押した時間だけ開閉扉４４が開放されて球の排出を行うことができる。
また、球排出ボタン８３は、第３ＬＥＤ９３ｃが点灯された定量排出モードにあるときは、一回のボタン操作で排出量入力部８４に入力された定量数を排出することができる。
排出量入力部８４は、ボタン押圧により予定の排出量を設定することができる。
【００２１】
以上のように構成されたものにおいては、遊技者が球受け皿７１内の球を開放部５２から球導入通路５３に球を投入することにより球が球貯留タンク４に移送される。あるいは、開放されたままの状態の球抜き口７２から球送出ホース６を介して常時球が球貯留タンク４に移送される。ホール従業員は球貯留タンク４内の球数を表示部９４等により容易に把握することができ、レバー４３や球排出ボタン８３を操作することによって球箱の大きさに対応した最適な量移し替えることができるので、遊技者は着座したまま遊技を続行することができる。
【００２２】
また、球貯留タンク４には、図１４に示すように、満タン検出センサー９６と球箱検出センサー９７とを設けることができる。満タン検出センサー９６を設けることで球貯留タンク４内の球の貯留量の監視を行うことができ、満タン状態であると検出された場合には自動的に球貯留タンク４より球箱へ球を排出することができる。
【００２３】
図１５には、満タン検出センサー９６により球を自動的に排出するときのフローチャートを示す。
即ち、満タン検出センサー９６が球貯留タンク４を監視し、満タン状態でない場合にはそのまま球の貯留を続行する。必要に応じエラーを報知する。満タン検出センサー９６が満タン状態であることを検出した場合には、球箱検出センサー９７が球箱の存在を確認する。球箱が所定の位置に置かれていない場合には、エラーを報知する。球箱が所定の位置に置かれている場合には、排出量調整手段８が予め設定された球数を計数して球箱に自動的に排出する。以上のようにして、球貯留タンク４内の球を自動的に球箱に移し替えることができる。
よって、本発明の遊技機用椅子は、遊技者が煩わしい球の移し替えを行う必要がなく快適に遊技を楽しむことができるという大きな利点を有する。
【図面の簡単な説明】
【００２４】
【図１】本発明に係る遊技機用椅子の側面図である。
【図２】遊技機用椅子の背面図である。
【図３】レバーを操作した状態の遊技機の側面図である。
【図４】肘掛部が前傾された遊技機用椅子の側面図である。
【図５】肘掛部が起立された遊技機用椅子の側面図である。
【図６】遊技者が着座した遊技機用椅子の側面図である。
【図７】別の実施形態の遊技機用椅子の側面図である。
【図８】図７の遊技機用椅子の背面図である。
【図９】円形状の蛇腹ホースと取付け具の斜視図である。
【図１０】角形状の蛇腹ホースと取付け具の斜視図である。
【図１１】球受け皿の、（ａ）平面図、（ｂ）正面図、（ｃ）側面図である。
【図１２】球貯留タンクの球排出機構の構成図である。
【図１３】操作パネルの正面図である。
【図１４】満タン検出センサーと球箱検出センサーとを備えた遊技機用椅子の側面図である。
【図１５】球を自動的に排出するときのフローチャートである。
【符号の説明】
【００２５】
１  座席、４  球貯留タンク、５  肘掛部、４２  球排出口、４３  レバー、４４  開閉扉、５３  球導入通路
【図１】
2007190274.tif 000003
【図２】
2007190274.tif 000004
【図３】
2007190274.tif 000005
【図４】
2007190274.tif 000006
【図５】
2007190274.tif 000007
【図６】
2007190274.tif 000008
【図７】
2007190274.tif 000009
【図８】
2007190274.tif 000010
【図９】
2007190274.tif 000011
【図１０】
2007190274.tif 000012
【図１１】
2007190274.tif 000013
【図１２】
2007190274.tif 000014
【図１３】
2007190274.tif 000015
【図１４】
2007190274.tif 000016
【図１５】
2007190274.tif 000017